(57)【要約】【課題】  遠心多翼式送風機からの騒音量を低減できる車両用空調装置の提供を図る。【解決手段】  遠心多翼式送風機１２のケーシング２２の舌部２６の外壁面の近傍に吸音部材４１を設けた。そのため、遠心多翼式送風機１２からの騒音量を低減できる。つまり、遠心多翼式送風機１２で発生する騒音の大部分は舌部２６近傍から発生されるため、この舌部２６の外壁面の近傍に吸音部材４１を設けたことで、遠心多翼式送風機１２からの騒音量を低減できる。【選択図】  図１
2005125881.tif 000002
【特許請求の範囲】
【請求項１】
遠心多翼式送風機（１２）および温調ユニット（１３）を備える車両用空調装置（１）において、
前記遠心多翼式送風機（１２）は、回転駆動に伴い軸方向から吸引した空気を径方向外側に吹き出す羽根車（２０）と、この羽根車（２０）を収容するケーシング（２２）と、を備え、
前記遠心多翼式送風機（１２）のケーシング（２２）は、舌部（２６）を巻始部として渦巻状に形成されるスクロール室（２３）と、前記舌部（２６）を分岐点として前記スクロール室（２３）より送風下流に向けて延長形成される吹出ダクト部（２４）と、を備え、
前記遠心多翼式送風機（１２）のケーシング（２２）の舌部（２６）の近傍に吸音部材（４１）が配置されていることを特徴とする車両用空調装置（１）。
【請求項２】
請求項１記載の車両用空調装置（１）において、
車室前部のインストルメントパネル（Ｐ）内で前記遠心多翼式送風機（１２）と前記温調ユニット（１３）とが車幅方向に沿って配置され、
前記舌部（２６）を角部として連続形成される前記スクロール室（２３）の外周壁面（２３ａ）および前記吹出ダクト部（２４）の外壁面（２４ａ）と、前記温調ユニット（１３）の外壁面（３１ａ）と、により形成されるコ字状部（４０）を備え、
前記コ字状部（４０）は、車両後方に向けて開となっていることを特徴とする車両用空調装置（１）。
【請求項３】
請求項２記載の車両用空調装置（１）において、
前記吸音部材（４１）が、前記コ字状部（４０）の内部空間に嵌め込まれていることを特徴とする車両用空調装置（１）。
【発明の詳細な説明】
【技術分野】
【０００１】
本発明は、遠心多翼式送風機を備える車両用空調装置に関する。
【背景技術】
【０００２】
図７、８に示すように従来の車両用空調装置１００には、車室内前部のインストルメントパネルＰ内に配置され、送風機１０１および温調ユニット１０２を備えて構成されるものがある（例えば特許文献１参照）。この種の車両用空調装置１００では、小型で大風量を吹き出せるように送風機として遠心多翼式送風機１０１を用いている。
【０００３】
遠心多翼式送風機１０１は、回転駆動に伴い軸方向から吸引した空気を径方向外側に吹き出す羽根車と、この羽根車を回転駆動するモータと、羽根車を収容するケーシングと、備えている。このケーシングは、舌部を巻始部として渦巻状に形成されたスクロール室と、このスクロール室の舌部から送風下流へ向けて一周回した部位で該舌部を分岐点としてさらに送風下流の吹出口に向けて延長形成された吹出ダクト部と、を備えている。
【特許文献１】特許２９７０４９０号公報
【発明の開示】
【発明が解決しようとする課題】
【０００４】
この種の車両用空調装置では、乗員の車内快適性を向上するために可能な限り遠心多翼式送風機からの騒音量を低減することが好ましい。
【０００５】
本発明はこのような従来技術をもとに為されたもので、遠心多翼式送風機からの騒音量を低減できる車両用空調装置の提供を目的とする。
【課題を解決するための手段】
【０００６】
請求項１記載の発明は、遠心多翼式送風機および温調ユニットを備える車両用空調装置において、前記遠心多翼式送風機は、回転駆動に伴い軸方向から吸引した空気を径方向外側に吹き出す羽根車と、この羽根車を収容するケーシングと、を備え、
前記遠心多翼式送風機のケーシングは、舌部を巻始部として渦巻状に形成されるスクロール室と、前記舌部を分岐点として前記スクロール室より送風下流に向けて延長形成される吹出ダクト部と、を備え、
前記遠心多翼式送風機のケーシングの舌部の近傍に吸音部材が配置されていることを特徴とするものである。
【０００７】
請求項２記載の発明は、請求項１記載の車両用空調装置において、車室前部のインストルメントパネル内で前記遠心多翼式送風機と前記温調ユニットとが車幅方向に沿って配置され、前記舌部を角部として連続形成される前記ケーシングのスクロール室の外周壁面および前記ケーシングの吹出ダクト部の外壁面と、前記温調ユニットの外壁面と、により形成されるコ字状部を備え、前記コ字状部は、車両後方に向けて開となっていることを特徴とするものである。
【０００８】
請求項３記載の発明は、請求項２記載の車両用空調装置において、前記吸音部材が、前記コ字状部の内部空間に嵌め込まれていることを特徴とするものである。
【発明の効果】
【０００９】
請求項１記載の発明によれば、遠心多翼式送風機のケーシングの舌部の近傍に吸音部材を配置したため、遠心多翼式送風機からの騒音量を低減できる。つまり、遠心多翼式送風機で発生する騒音の大部分は舌部近傍から発生するため、この舌部の近傍に吸音部材を配置することで、遠心多翼式送風機からの騒音量を低減できる。なお、この請求項１では吸音部材は舌部に接していない構造も含む。
【００１０】
請求項２記載の発明によれば、請求項１記載の発明の効果に加え、コ字状部が車両後方に向けて開となる構造にあっては、吸音部材の効果がより大きいものとなる。これは、コ字状部が車両後方に向けて開となる構造の場合、舌部から生じる騒音が温調ユニット内の迷路状の送風経路を介さずともコ字状部の内部空間を通じて車両後方側の乗員に向い易いため、舌部からの騒音が乗員に聞こえ易い構造であることに起因する。
【００１１】
請求項３記載の発明によれば、請求項２記載の発明の効果に加え、吸音部材がコ字状部の内部空間に嵌め込まれているため、吸音部材が乗員と舌部との間に位置することとなる。そのため、より効果的に乗員に伝わる騒音量を低減できる。
【発明を実施するための最良の形態】
【００１２】
以下、本発明の一実施形態を図面に基づいて説明する。図１はこの実施形態の車両用空調装置の平面図、図２はこの実施形態の車両用空調装置の後面図、図３は図２中Ａ−Ａ線に沿う断面図、図４はこの実施形態の車両用空調装置の温調ユニットと分離した状態の遠心多翼式送風機の吹出ダクト部の近傍を示す斜視図、図５はこの実施形態の車両用空調装置の温調ユニットの概略構成を示す説明図、図６はこの実施形態の車両用空調装置の騒音量低減効果を説明する図である。
【００１３】
まず、この実施形態の車両用空調装置１の概略を説明する。
【００１４】
この実施形態の車両用空調装置１は、車室前部の図示せぬインストルメントパネル内（インストメントパネルの車両前側）に配置され、内外気切替箱１１と遠心多翼式送風機１２と温調ユニット１３とを備えて構成されている。遠心多翼式送風機１２と温調ユニット１３とは車幅方向に沿って配置され、送風機１２の上側に内外気切替箱１１が配置されている。なお、この実施形態では温調ユニット１３が車両の車幅方向中央部に配置され、遠心多翼式送風機１２は、車幅方向中央から若干左側に配置されている。
【００１５】
次に、各部品（内外気切替箱１１および遠心多翼式送風機１２および温調ユニット１３）の構成を説明する。
【００１６】
内外気切替箱１１は、内気吸込口１５および外気吸込口１６を備えるケーシング１４内に、これら内気吸込口１５および外気吸込口１６の開閉度を調節する開閉ドア（図示省略）を備えて構成されている。
【００１７】
遠心多翼式送風機１２は、多数の翼が周方向に一定間隔で配置され回転駆動に伴い軸方向から吸引した空気を径方向外側に吹き出す羽根車２０と、この羽根車２０を回転駆動するモータ２１と、羽根車２０を収容するとともに吸込口２５および吹出口２７を有するケーシング２２と、を備えている。
【００１８】
ケーシング２２は、舌部２６を巻始部として渦巻状に形成されるスクロール室２３と、このスクロール室２３の送風下流に形成される吹出ダクト部２４と、を備えている。スクロール室２３には、その渦巻の巻軸方向一方に開口するベルマウス状の吸込口２５が設けられ、この吸込口２５から内外気切替箱１１を介して空気を吸い込むようになっている。吹出ダクト部２４は、巻始点としての舌部２６から送風下流に向けて一周回した部位からさらに送風下流の前記吹出口２７に向けて延長形成されるものである。つまり、スクロール室２３と吹出ダクト部２４との境界部分に舌部２６が位置し、この舌部２６を角部として、スクロール室２３の外周壁面２３ａおよび吹出ダクト部２４の外壁面２４ａが連続形成されている。なお、遠心多翼式送風機１２から発生する騒音の大部分が、この舌部２６から発生することが従来より分かっている。
【００１９】
温調ユニット１３は、遠心多翼式送風機１２の送風下流に連通接続されインストルメントパネルに開口する吹出口（ベント吹出口，フット吹出口，デフロスタ吹出口など）に向けて送風路を形成するケーシング３１を備えている。このケーシング３１内には、冷風を生成する冷却用熱交換器３２と、温風を生成する加熱用熱交換器３３と、温風量および冷風量を調整して吹出温度を調整する温度調整手段としてのエアミックスドア３４と、を備え、温度調節された空気をどの吹出口に向けて流すか切替選択する吹出モード切替ドア３５、３６、３７と、を備えている。
【００２０】
このように構成される車両用空調装置１を運転すると、内外気切替箱１１から吸込れた空気は、遠心多翼式送風機１２により下流の温調ユニット１３内に送り込まれ、この温調ユニット１３内で所望の温度に調整されたのち、車室内に吹き出されるようになっている。
【００２１】
ここで、この実施形態の車両用空調装置１では、スクロール室２３の外周壁面２３ａと吹出ダクト部２４の外壁面２４ａと温調ユニット１３の外壁面３１ａとにより形成されるコ字状部４０が車両後方に向けて開となっている。
【００２２】
そして、このコ字状部４０の内部空間全体には吸音部材４１が嵌め込まれ、吸音部材４１はコ字状部４０を構成する外壁面２３ａと外壁面２４ａと外壁面３１ａのそれぞれに密着し且つ舌部２６の外壁面に密着している。これにより、この実施形態の車両用空調装置１では、遠心多翼式送風機１２からの騒音量を低減できるようになっている。
【００２３】
図６は実際にフロントシートを測定位置として吸音部材４１を備えるこの実施形態の車両用空調装置１の騒音量と、吸音部材を備えない従来の車両用空調装置の騒音量と、を測定し比較した図である。図６に示すようにこの実施形態の車両用空調装置１では従来の車両用空調装置にくらべ約１ｄＢＡほどの騒音低減効果があることが判明した。
【００２４】
また、この実施形態では、吸音部材４１の装着作業性と装着安定性と勘案して、吹出ダクト部２４の車両後方側には吸音部材４１を上下で挟み込む板部２８、２９が延長形成されている。
【００２５】
以下、この実施形態の効果をまとめる。
【００２６】
まずこの実施形態によれば、遠心多翼式送風機ケーシング２２の舌部２６の外壁面の近傍に吸音部材４１が配置されているため、遠心多翼式送風機１２からの騒音量を低減できる。つまり、遠心多翼式送風機１２で発生する騒音の大部分は舌部２６近傍から発生するため、この舌部２６の外壁面の近傍に吸音部材４１を配置することで、遠心多翼式送風機１２からの騒音量を低減できる。
【００２７】
特に、車室前部のインストルメントパネルＰ内で遠心多翼式送風機１２と温調ユニット１３とが車幅方向に沿って配置され、スクロール室２３の外周壁面２３ａと吹出ダクト部２４の外壁面２４ａと温調ユニット１３の外壁面３１ａとにより形成されるコ字状部４０が、車両後方に向けて開となっている配置構造であると、吸音部材４１の騒音低減効果がより大きいものとなる。これは、コ字状部４０が車両後方に向けて開となる配置構造にあっては、舌部２６から生じる騒音が温調ユニット１３内の迷路のように入り組んだ送風経路を介さずそのままコ字状部４０の内部空間を通じて車両後方の乗員に向かい易い構造であり、舌部２６からの騒音が乗員に聞こえ易い構造であることに起因する。
【００２８】
またこの実施形態によれば、吸音部材４１がコ字状部４０の内部空間に嵌め込まれているため、吸音部材４１が乗員と舌部２６との間に位置することとなり、より効果的に乗員に伝わる騒音量を低減できる。
【００２９】
また、この実施形態によれば、デットスペースとなるコ字状部４０の内部空間全体を利用しているので、スペース効率を落とさずに十分な量の吸音部材４１を使用でき、さらに騒音量を低減できる。
【００３０】
特に、この実施形態では、コ字状部４０を形成する壁面２３ａおよび壁面２４ａおよび３１ａのそれぞれに吸音部材４１が密着しているので、さらに効果的に騒音量を低減できる。
【００３１】
以上のように、本発明によれば、遠心多翼式送風機ケーシングの舌部の近傍に吸音部材が付設されているため、遠心多翼式送風機からの騒音量を低減できる。なお、上述の実施形態では、吸音部材４１はコ字状部４０の内部空間全体にはめ込まれて、コ字状部４０を形成する壁面２３ａおよび２４ａおよび３１ａと密着し且つ舌部２６の外壁面と密着しているが、本発明にあっては、吸音部材が舌部２６の外壁面に密着していなくてもよく、無論、吸音部材のサイズおよび形状は限定されるものではなく、吸音部材が遠心多翼式送風機ケーシングの舌部の近傍に配置されていればよいものとする。
【図面の簡単な説明】
【００３２】
【図１】この実施形態の車両用空調装置の平面図。
【図２】この実施形態の車両用空調装置の後面図。
【図３】図２中Ａ−Ａ線に沿う断面図。
【図４】この実施形態の車両用空調装置の温調ユニットと分離した状態の遠心多翼式送風機の吹出ダクト部の近傍を示す斜視図。
【図５】この実施形態の車両用空調装置の温調ユニットの概略構成を示す説明図。
【図６】この実施形態の車両用空調装置の騒音量低減効果を説明する図。
【図７】従来の車両用空調装置を示す斜視図。
【図８】従来の車両用空調装置を示す平面図。
【符号の説明】
【００３３】
Ｐ…インストルメントパネル
１…車両用空調装置
１２…遠心多翼式送風機
１３…温調ユニット
２０…羽根車
２２…ケーシング
２３…スクロール室
２３ａ…外周壁面
２４…吹出ダクト部
２４ａ…外壁面
２５…吸込口
２６…舌部
２７…吹出口
３１ａ…外壁面
４０…コ字状部
４１…吸音部材
【図１】
2005125881.tif 000003
【図２】
2005125881.tif 000004
【図３】
2005125881.tif 000005
【図４】
2005125881.tif 000006
【図５】
2005125881.tif 000007
【図６】
2005125881.tif 000008
【図７】
2005125881.tif 000009
【図８】
2005125881.tif 000010